(57)【特許請求の範囲】
【請求項１】
液不透過性のバックシートと、
吸収性物品のなかで前記バックシートよりも肌側に位置する液透過性のトップシートと、
前記トップシートと前記バックシートとの間に位置する吸収体と、
前記トップシートと前記吸収体との間に位置する不織布シートとを備え、
前記不織布シートは、前記トップシート側から前記吸収体側への液体の通過を可能とする液体通過性を有した第１シート領域と、前記液体の通過をさせない液体難通過性を有した第２シート領域とから構成され、
前記不織布シートと前記トップシートとは、一部が接着領域を介して接着されており、
前記接着領域以外の部分を構成する非接着領域は、平面視で前記第１シート領域と前記第２シート領域とに跨って存在する
吸収性物品。
【請求項２】
前記第１シート領域は、疎水性の不織布に対して設けられた親水性領域である
請求項１に記載の吸収性物品。
【請求項３】
前記親水性領域は、前記疎水性の不織布に対して界面活性剤を付与した領域である
請求項２に記載の吸収性物品。
【請求項４】
前記第１シート領域の総面積は、前記第２シート領域の総面積より小さい
請求項１ないし３のうち、何れか１項に記載の吸収性物品。
【請求項５】
前記吸収性物品は、腹部領域と、背部領域と、前記腹部領域と前記背部領域との間に位置する股下部領域とを備え、
前記股下部領域は、前記第１シート領域を備えている
請求項１ないし４のうち、何れか１項に記載の吸収性物品。
【請求項６】
前記吸収体の長手方向における少なくとも何れか一方の端部領域は、前記第２シート領域で構成されている
請求項１ないし５のうち、何れか１項に記載の吸収性物品。
【請求項７】
前記吸収性物品は、着用された際に着用者の臀部に接触する臀部領域を備え、
前記臀部領域は、前記第２シート領域で構成されている
請求項１ないし６のうち、何れか１項に記載の吸収性物品。
【請求項８】
前記接着領域は、前記トップシートにおける前記液体の肌側から非肌側への通過をさせない液体難通過性である
請求項１ないし７のうち、何れか１項に記載の吸収性物品。
【請求項９】
前記接着領域は、一または二以上の連続線で構成され、
前記連続線のそれぞれは、前記第１シート領域と前記第２シート領域とに跨って存在している
請求項８に記載の吸収性物品。
【請求項１０】
前記不織布シートと前記吸収体の間には、拡散シートをさらに備える
請求項１ないし９のうち、何れか１項に記載の吸収性物品。
【発明の詳細な説明】
【技術分野】
【０００１】
本発明は、吸収性物品に関する。
【背景技術】
【０００２】
吸収性物品として使い捨ておむつや尿パッドなどが知られている。これらの吸収性物品は、通常、液不透過性のバックシートと、液透過性のトップシートと、トップシートとバックシートの間に配置された吸収体とから構成されている。そして、着用時における吸収体は、トップシートを介して排泄物である尿などの液体を保持し、吸収性物品の外部に液体が漏出することは、バックシートによっても抑えられる。吸収体は、フラップパルプ、高吸収性ポリマーなどで構成されている（特許文献１参照）。
【先行技術文献】
【特許文献】
【０００３】
【特許文献１】特開２０１２−１１０３６８号公報
【発明の概要】
【発明が解決しようとする課題】
【０００４】
吸収性物品では、吸収体に吸収された液体の逆戻りを抑制することが望まれており、逆戻りの抑制のため、吸収体における高吸収性ポリマーの量を増やすことが行われている。しかし、吸収体における高吸収性ポリマーの量を増やした場合には、高吸収性ポリマーが膨潤すると、吸収体が厚くなり、着用感も悪化することがある。
【０００５】
特許文献１の吸収性物品では、吸収体の他に、トップシートと吸収体との間に、高吸収性ポリマーを液吸収性シートで挟み込んだ吸収性シートを配置している。しかし、吸収性シートを備える分、吸収性物品の構造が複雑化してしまう。
【０００６】
本発明は、高吸収性ポリマーの量を抑えつつ、簡素な構成で吸収体に吸収された液体の逆戻りを抑制することを可能とした吸収性物品を提供することを目的とする。
【課題を解決するための手段】
【０００７】
上記課題を解決するための吸収性物品は、液不透過性のバックシートと、吸収性物品のなかで前記バックシートよりも肌側に位置する液透過性のトップシートと、前記トップシートと前記バックシートとの間に位置する吸収体と、前記トップシートと前記吸収体との間に位置する不織布シートとを備え、前記不織布シートは、前記トップシート側から前記吸収体側への液体の通過を可能とする液体通過性を有した第１シート領域と、前記液体の通過をさせない液体難通過性を有した第２シート領域とから構成される。
【０００８】
上記構成によれば、トップシートと吸収体との間に不織布シートを配置する簡素な構成で、吸収体に吸収された液体がトップシートまで逆戻りすることを抑え、肌と接触することを抑えることができる。したがって、吸収体の高吸収性ポリマーの量を従来より増やすことなく、吸収体に吸収された液体の逆戻りを抑制することができる。
【０００９】
上記吸収性物品において、前記第１シート領域は、疎水性の不織布に対して設けられた親水性領域としてもよい。
上記構成によれば、親水処理により第１シート領域を形成することができる。
【００１０】
上記吸収性物品において、前記親水性領域は、前記疎水性の不織布に対して界面活性剤を付与した領域としてもよい。
上記構成によれば、界面活性剤で親水性領域を形成することができる。
【００１１】
上記吸収性物品において、前記第１シート領域の総面積は、前記第２シート領域の総面積より小さい構成としてもよい。
上記構成によれば、吸収体に吸収された液体がトップシートまで逆戻りするおそれのある領域を小さくすることができる。
【００１２】
上記吸収性物品において、前記吸収性物品は、腹部領域と、背部領域と、前記腹部領域と前記背部領域との間に位置する股下部領域とを備え、前記股下部領域は、前記第１シート領域を備えている構成としてもよい。
上記構成によれば、股下部領域に流れた液体を効果的に吸収することができる。
【００１３】
上記吸収性物品において、前前記吸収体の長手方向における少なくとも何れか一方の端部領域は、前記第２シート領域で構成してもよい。
上記構成によれば、端部領域に、吸収体に吸収された液体が逆戻りで滲みだすことを抑えることができる。
【００１４】
上記吸収性物品において、前記吸収性物品は、着用された際に着用者の臀部に接触する臀部領域を備え、前記臀部領域は、前記第２シート領域で構成するようにしてもよい。
上記構成によれば、臀部の領域に、吸収体に吸収された液体が逆戻りで滲みだすことを抑えることができる。
【００１５】
上記吸収性物品において、前記不織布シートと前記トップシートとは、一部が接着領域を介して接着されており、前記接着領域は、前記トップシートにおける前記液体の肌側から非肌側への通過をさせない液体難通過性であり、前記接着領域以外の部分を構成する非接着領域は、平面視で前記第１シート領域と前記第２シート領域とに跨って存在するようにしてもよい。
上記構成によれば、非接着領域が第１シート領域と第２シート領域とに跨るので、トップシートからの液体を吸収体へ案内することができる。
【００１６】
上記吸収性物品において、前記接着領域は、一または二以上の連続線で構成され、前記連続線のそれぞれは、前記第１シート領域と前記第２シート領域とに跨って存在するようにしてもよい。
上記構成によれば、接着領域の連続線が第１シート領域と第２シート領域とに跨るので、トップシートからの液体を吸収体へ案内することができる。
【００１７】
上記吸収性物品において、前記不織布シートと前記吸収体の間には、拡散シートをさらに備える構成としてもよい。
上記構成によれば、拡散シートによって、第１シート領域を透過した液体を広い範囲に拡散させ、吸収体に吸収させることができる。そして、吸収体が局所的に膨潤することを抑えることができる。
【発明の効果】
【００１８】
本発明によれば、高吸収性ポリマーの量を抑えつつ、吸収体に吸収された液体の逆戻りを抑制することを可能とした吸収性物品を提供することができる。
【図面の簡単な説明】
【００１９】
【図１】パンツ型使い捨ておむつの斜視図。
【図２】パンツ型使い捨ておむつをトップシート側から見た平面図。
【図３】図２における３−３断面図。
【図４】不織布シートにおける第１シート領域のパターンと接着領域のパターンを示す平面図。
【図５】パンツ型使い捨ておむつにおいて、液体を吸収体で吸収するまでの経路を説明する断面図。
【図６】不織布シートにおける第１シート領域のパターンの変形例１を示す平面図。
【図７】不織布シートにおける第１シート領域のパターンの変形例２を示す平面図。
【図８】不織布シートにおける第１シート領域のパターンと接着領域のパターンの変形例を示す平面図。
【発明を実施するための形態】
【００２０】
図面を参照して本発明における吸収性物品を具体化した一実施形態におけるパンツ型使い捨ておむつについて説明する。
図１および図２に示すように、パンツ型使い捨ておむつ１０（以下、単に「おむつ１０」という。）は、人体の腹部形状に追従する形状を有する腹部領域１０Ｆと、人体の背部形状に追従する形状を有する背部領域１０Ｒと、腹部領域１０Ｆおよび背部領域１０Ｒをつなぐ股下部領域１０Ｃとを備えている。
【００２１】
腹部領域１０Ｆにおいて股下部領域１０Ｃとは反対側の端部である上端部分と、背部領域１０Ｒにおいて股下部領域１０Ｃとは反対側の端部である上端部分とは、人体のウェストの部分を取り囲むウェスト開口部１０Ｗを構成している。また、股下部領域１０Ｃにおける左右両端部は、人体の太股部分を取り囲む形状を有した左右一対の脚回り開口部１０Ｌを構成している。おむつ１０は、おむつ１０の外面を構成する外装シート１６を備える。外装シート１６の左右両側部で脚回り開口部１０Ｌの構成部分を除いた部分は、外装シート１６の端部同士が接合された接合部１０Ｊである。外装シート１６の左右両側部において、それの長手方向の中央部には、脚回り開口部１０Ｌを構成する半円弧状の形状を有した一対の切欠端部１６Ｃが形成されている。
【００２２】
図２および図３に示すように、おむつ１０は、液透過性を有し肌側に位置するトップシート１１と、液不透過性を有し肌とは反対側に位置するバックシート１２と、トップシート１１とバックシート１２との間に位置する吸収体１３とを備えている。さらに、おむつ１０は、トップシート１１と吸収体１３との間に位置する不織布シート１４と、不織布シート１４と吸収体１３との間に拡散シート１５とを備えている。すなわち、おむつ１０では、肌側から、トップシート１１、不織布シート１４、拡散シート１５、吸収体１３、バックシート１２の順に重なっている。
【００２３】
液透過性シートとしてのトップシート１１を形成する材料は、例えば、織布、不織布、多孔性フィルムから構成される群から選ばれる１以上の材料で構成されている。トップシート１１には、例えば、ポリプロピレン、ポリエチレン、ポリエステル、ナイロンのような熱可塑性樹脂の繊維であって親水化処理が施された繊維から構成される不織布が用いられることが好ましい。
【００２４】
液不透過性シートとしてのバックシート１２を形成する材料は、例えば、液不透過性を有したポリエチレン樹脂製のフィルムである。バックシート１２には、通気性を確保するため、例えば、０．１μｍ以上４．０μｍ以下の微細孔が多数形成されている。バックシート１２のさらに外側には、外装シート１６が配置されている。
【００２５】
吸収体１３は、腹部領域１０Ｆ、股下部領域１０Ｃ、および、背部領域１０Ｒに跨るように細長い帯形状を有している。吸収体１３を形成する材料は、例えば、フラッフパルプ、高吸収性ポリマー、親水性シートなどの吸収性材料である。吸収体１３は、コアラップによって包まれることによって、その形状が保持されている。吸収体１３は、トップシート１１とバックシート１２との間に位置し、トップシート１１は、吸収体１３をトップシート１１とバックシート１２との間に挟み込んだ状態で、バックシート１２に接合される。なお、吸収体１３は、コアラップで包まれていなくてもよい。
【００２６】
不織布シート１４は、例えば、ポリプロピレン、ポリエチレン、ポリエステル、ナイロンのような疎水性の熱可塑性樹脂の繊維から構成される不織布が用いられることが好ましい。また、不織布シート１４は、例えば、カードエンボスやスパンボンド等の製法により得られた不織布が用いられ、特に防水性が高いＳＭＳやＳＭＭＳ等の不織布シートが用いられることが好ましい。このような疎水性繊維及び／又は製法による不織布シート１４は、液体難通過性を有するものとなる。不織布シート１４は、腹部領域１０Ｆ、股下部領域１０Ｃ、背部領域１０Ｒに跨る大きさを有し、帯形状を有している。そして、不織布シート１４は、全体としては、液体の通過をさせない液体難通過性でありながらも、部分的に、吸収体１３側への液体の通過を可能とする液体通過性の領域を有している。なお、液体難通過性とは、液体を透過させにくい性質を指し、防水性、撥水性及び液不透過性を包含するものである。しかしながら、これらに限られることはなく、本願発明の効果が損なわれない範囲内の多少の液体通過性（例えば、第１シート領域の液体通過性よりも低い液体通過性）も含む概念である。
【００２７】
拡散シート１５は、例えば、織布、不織布、多孔性フィルムから構成される群から選ばれる１以上の材料で構成されている。拡散シート１５には、例えば、ポリプロピレン、ポリエチレン、ポリエステル、ナイロンのような熱可塑性樹脂の繊維であって親水化処理が施された繊維から構成される不織布が用いられることが好ましい。
【００２８】
外装シート１６において一対の切欠端部１６Ｃに隣接した位置には、脚回りギャザーを構成する糸状の弾性部材１７Ａが伸長状態で接合されている。また、外装シート１６においてウェスト開口部１０Ｗに隣接した位置には、ウェストギャザーを構成する弾性部材１７Ｂが伸長状態で接合されている。
【００２９】
トップシート１１における幅方向の左右両側縁部には、立体ギャザーを構成する液不透過性を有した一対のサイドシート１８が備えられている。一対のサイドシート１８における外側端縁部は、切欠端部１６Ｃと同様の形状を有している。一対のサイドシート１８のそれぞれには、その内側端縁部を吸収体１３側に折り返して起立させる弾性部材１８Ａが伸張状態で配置され、弾性部材１８Ａは、収縮した際に、サイドシート１８を着用者の肌当接方向に向かって立ち上げ立体ギャザーを構成する。
【００３０】
図４に示すように、不織布シート１４は、疎水材料で形成され、部分的に親水処理が施されている。したがって、不織布シート１４は、トップシート１１を透過した液体をさらに吸収体側に透過させる液体通過性を有した親水性領域としての第１シート領域１４Ａと、第１シート領域１４Ａ以外の撥水性領域であり、液体の通過をさせない液体難通過性を有した第２シート領域１４Ｂとを備えている。第１シート領域１４Ａは、吸収体１３への液体の透過を許容しながらも、一方で、吸収体１３に吸収された液体の逆戻りを許容する領域ともなってしまう。そこで、第１シート領域１４Ａの総面積は、第２シート領域１４Ｂの総面積より小さく設定され、吸収体１３に吸収された液体が逆戻りするおそれのある領域を少なくしている。
【００３１】
第１シート領域１４Ａは、腹部領域１０Ｆから股下部領域１０Ｃに跨ったストライプ模様のパターン形状を有している。すなわち、ストライプ模様を構成する所定幅を有する各直線部２１は、等間隔に、長手方向に沿って互いに平行に配置されている。そして、第１シート領域１４Ａは、腹部領域１０Ｆの股下部領域１０Ｃに近い部分から股下部領域１０Ｃの領域において、液体を吸収体１３へ透過させる。また、直線部２１の周囲は、第２シート領域１４Ｂとなる。液体は、直線部２１の間の第２シート領域１４Ｂに沿って流れることで長手方向に拡散されながら順次直線部２１から吸収される。
【００３２】
腹部領域１０Ｆおよび背部領域１０Ｒにおけるウェスト開口部１０Ｗに近い端部領域１０Ｅや、背部領域１０Ｒや、股下部領域１０Ｃと背部領域１０Ｒとに跨る臀部領域１０Ｂには、第１シート領域１４Ａを備えておらず、第２シート領域１４Ｂとなっている。これらの領域は、着用者の肌と常時接触したり頻繁に接触する領域である。これらにより、一度、吸収体１３に吸収された液体は、端部領域１０Ｅや背部領域１０Ｒや臀部領域１０Ｂの領域で逆戻りすることが抑制される。
【００３３】
なお、腹部領域１０Ｆや背部領域１０Ｒのウェスト開口部１０Ｗに近い端部領域１０Ｅは、好ましくは、ウェスト開口部１０Ｗを構成する上端部から１０〜１２０ｍｍ程度、好ましくは３０〜１００ｍｍ程度の範囲である。
【００３４】
このような第１シート領域１４Ａのパターンを有する不織布シート１４は、ホットメルト接着剤などの接着剤によってトップシート１１の肌とは反対側の面に接着される。不織布シート１４のトップシート１１に対する接着領域２２Ａは、接着剤が長手方向に沿って互いに平行な直線状の連続線となるように不織布シート１４に塗布されることで構成される。すなわち、接着領域２２Ａは、腹部領域１０Ｆから股下部領域１０Ｃを介して背部領域１０Ｒに亘って設けられる。
【００３５】
接着剤の塗布されない非接着領域２２Ｂの各々について、平面視において第１シート領域１４Ａと重複する部分を有しない場合、トップシート１１を透過した液体の不織布シート１４上における横方向への流動範囲が接着剤の液体難通過性の性質により制限される。このため、不織布シート１４を吸収体１３に向けて透過する経路（第１シート領域１４Ａ）を見いだせず、その領域に留まったり、逆戻りしてしまう場合がある。そこで、接着領域２２Ａは、非接着領域２２Ｂの各々が、平面視において第１シート領域１４Ａと重複する部分を多く有するよう設けられることが望ましい。図４の例においては、液体が主に放出される範囲の非接着領域２２Ｂは、平面視において第１シート領域１４Ａと重複する部分を有するものとなっている。
【００３６】
次に、以上のように構成されたおむつ１０の作用について説明する。
図５に示すように、おむつ１０が着用されている状態において、排泄物である尿などの液体は、液透過性のトップシート１１を透過し、次いで、不織布シート１４の第１シート領域１４Ａを透過する。第１シート領域１４Ａを透過した液体は、拡散シート１５で拡散し、吸収体１３の広い領域に吸収される。吸収体１３に対して体圧などで荷重が加わった場合や吸収体１３に過剰に液体が吸収されている場合において、吸収体１３から逆戻りする液体は、第２シート領域１４Ｂによって、トップシート１１まで戻ることが抑えられる。端部領域１０Ｅや背部領域１０Ｒや臀部領域１０Ｂは、第２シート領域１４Ｂとなっている。したがって、吸収体１３からの逆戻りがあったとしても、逆戻りした液体がトップシート１１まで戻ることはなく、これらの領域では肌と触れることが抑えられる。
【００３７】
以上、上記実施形態によれば以下に列挙する効果を得ることができる。
（１）トップシート１１と吸収体１３との間に疎水材料で形成された不織布シート１４が配置されるので、吸収体１３から逆戻りした液体がトップシート１１にまで至り肌と接触することを抑えることができる。すなわち、吸収体１３の高吸収性ポリマーの量を従来より増やすことなく、不織布シート１４によって逆戻りを抑えることができる。したがって、着用者の肌がかぶれることを抑えることができる。
（２）吸収体１３の他に、従来のように吸収性シートなどを配置することもないので、構成の複雑化を抑制することができる。
【００３８】
（３）第１シート領域１４Ａは、界面活性剤を塗布して親水処理することによって構成することができる。第１シート領域１４Ａは、パターン塗工によって容易に形成することができる。
（４）第１シート領域１４Ａの総面積は、第２シート領域１４Ｂの総面積より小さいので、吸収体１３から逆戻りした液体がトップシート１１まで滲みだすおそれのある領域を小さくすることができる。
（５）股下部領域１０Ｃに第１シート領域１４Ａを備えているので、着用時において、尿などの液体を効果的に吸収することができる。
【００３９】
（６）端部領域１０Ｅや背部領域１０Ｒや臀部領域１０Ｂは、着用者の肌と常時接触したり頻繁に接触したり領域であり、ここを第２シート領域１４Ｂとしている。したがって、逆戻りがあったとしても、逆戻りした液体がこれらの領域で肌と触れることが抑えられ、肌荒れなどを防ぐことができる。
（７）非接着領域２２Ｂが第１シート領域１４Ａと第２シート領域１４Ｂとに跨って存在するので、確実に、トップシート１１からの液体を第１シート領域１４Ａを通じて吸収体１３へ案内することができる。
（８）接着領域２２Ａは、連続線で構成され、第１シート領域１４Ａと第２シート領域１４Ｂとに跨って存在するので、液体の肌側から非肌側への通過をさせない液体難通過性となった接着領域２２Ａで液体の流れを案内することができる。
（９）拡散シート１５によって、不織布シート１４を透過した液体を吸収体１３の全面で吸収させることができる。そして、吸収体１３が局所的に膨潤することを抑えることができる。
（１０）吸収体１３における高吸収性ポリマーの量を増やすことがないので、安価におむつ１０を製造することができる。
【００４０】
なお、上記実施形態は以下のように適宜変更して実施することもできる。
〔第１シート領域の変形例１〕
・図６に示すように、不織布シート１４の第１シート領域１４Ａは、排尿される領域２１Ａと領域２１Ａの両側に長手方向に沿うように設けられる湾曲線部２１Ｂとを備えている。これにより、排尿があった際に、主として、液体を領域２１Ａで透過し、例えば領域２１Ａで通過しきれない液体を湾曲線部２１Ｂで透過させることができる。
・なお、湾曲線部２１Ｂは直線部で構成してもよいし、連続線で構成してもよいし、点線で構成してもよい。また、複数の直線状の第１シート領域を平行に設けたストライプ模様で構成してもよいし、複数の波線状の第１シート領域で構成してもよい。また、散点模様もしくはドット模様で構成してもよい。また、領域２１Ａの形状は、三角形や四角形などの多角形形状でもよいし、円形や楕円形状であってもよい。
【００４１】
〔第１シート領域の変形例２〕
・図７に示すように、腹部領域１０Ｆから股下部領域１０Ｃに亘っては、第１シート領域１４Ａは、腹部領域１０Ｆから股下部領域１０Ｃに跨ったストライプ模様のパターン形状を有している。すなわち、ストライプを構成する所定幅を有する各直線部２１Ｃは、長手方向に沿って互いに平行に配置されている。複数の直線部２１Ｃは長さを異ならせて設けられており、ここでは、真ん中の直線部２１Ｃが最も長くなるように設けられている。また、両側の直線部２１Ｃは、真ん中の直線部２１Ｃより幅広に設けられている。このように、複数の直線部２１Ｃは、長さが異なっていてもよいし、幅が異なっていてもよい。また、直線部２１Ｃは、波線や点線であってもよい。
【００４２】
また、背部領域１０Ｒでは、長手方向と直交する幅方向に亘って湾曲した湾曲線部２１Ｄが設けられている。ここでは、湾曲線部２１Ｄは、ウェスト開口部１０Ｗに近い箇所と股下部領域１０Ｃに近い箇所に設けられている。ウェスト開口部１０Ｗに近い湾曲線部２１Ｄは、ウェスト開口部１０Ｗからの液漏れを抑制し、股下部領域１０Ｃに近い湾曲線部２１Ｄは、液体が背部領域１０Ｒに流れ、着用者の背部と液体が接触してしまうことを抑制する。
【００４３】
〔第１シート領域のその他の変形例〕
・第１シート領域１４Ａのパターンは、以上の例に限定されるものではなく、腹部領域１０Ｆと股下部領域１０Ｃと背部領域１０Ｒとに亘って散点状もしくはドット状に設けられていてもよい。また、波線状や点線状に設けられていてもよい。
・図４に示す各直線部２１は、等間隔に設けられていなくてもよいし、互いに平行に設けられていなくてもよいし、全てが同じ幅でなくてもよい。また、長手方向に対して斜めに設けられていてもよいし、長手方向に対して直交するように設けられていてもよい。
・第１シート領域１４Ａは、界面活性剤を塗布する以外の方法で形成してもよい。例えば、親水性処理は、プラズマ処理で行ってもよい。また、第１シート領域１４Ａは、液体を透過できる程度にまで第２シート領域１４Ｂより薄く形成して構成してもよい。また、第１シート領域１４Ａは、不織布シートにおける開口、あるいは微小孔の多数形成により構成してもよい。
【００４４】
〔接着領域の変形例〕
・図８に示すように、接着領域２２Ａは、直線状の連続線ではなく、螺旋状の連続線で構成してもよい。この場合にも、接着領域２２Ａ以外の非接着領域２２Ｂは、第１シート領域１４Ａと第２シート領域１４Ｂとに跨って存在することで、第１シート領域１４Ａを接着領域２２Ａで塞がないようにすることができる。
【００４５】
・接着領域２２Ａは、連続線ではなく、点線で構成してもよいし、不織布シート１４の全面に対して散点状もしくはドット状に設けてもよい。また、直線状ではなく波線状に設けてもよい。接着領域２２Ａを点線や散点状もしくはドット状に設けるときには、熱シールによって接着することができる。
・また、接着領域２２Ａは、第１シート領域１４Ａを塞がないように配置されるのであれば、第１シート領域１４Ａのパターンより幅広のものであってもよい。
・接着領域２２Ａを構成する連続線は、第１シート領域１４Ａと第２シート領域１４Ｂとに跨って存在していなくてもよい。
・非接着領域２２Ｂは、第１シート領域１４Ａと第２シート領域１４Ｂとに跨って存在していなくてもよい。例えば、接着領域２２Ａを第２シート領域１４Ｂに全体的に設け、非接着領域２２Ｂを第１シート領域１４Ａとしてもよい。これにより、不織布シート１４には、第１シート領域１４Ａと第２シート領域１４Ｂとが設けられることになる。
【００４６】
〔不織布シートの変形例〕
・不織布シート１４は、吸収体１３の吸収面の大きさと比較して、吸収体１３の吸収面より小さくてもよいし、大きくてもよい。
・不織布シート１４は、股下部領域１０Ｃと腹部領域１０Ｆに配置されていてもよい。腹部領域１０Ｆを第２シート領域１４Ｂとしたときには、腹部の肌がかぶれることを抑制することができる。
・不織布シート１４は、股下部領域１０Ｃと背部領域１０Ｒに配置されていてもよい。背部領域１０Ｒを第２シート領域１４Ｂとしたときには、背部の肌がかぶれることを抑制することができる。
・第２シート領域１４Ｂは、ウェストギャザーなどが配置された腹部や背部と接触する端部領域の少なくとも一方に設けられているだけでもよい。
・不織布シート１４は、疎水性材料で形成されていなくてもよく、例えば、親水性の不織布で構成し、撥水処理などによって第２シート領域１４Ｂを設けるようにしてもよい。
・第２シート領域１４Ｂは、トップシート１１との接着領域２２Ａで構成するようにしてもよい。この場合、親水性の不織布で構成された不織布シート１４は、接着剤が含浸されることで、第２シート領域１４Ｂが設けられることになる。
・不織布シート１４は、拡散シート１５に接着されていてもよい。また、拡散シート１５を備えていない場合は、吸収体１３に対して接着されていてもよい。
【００４７】
〔その他の変形例〕
・おむつ１０において、拡散シート１５は備えていなくてもよい。
・第１シート領域１４Ａの総面積は、第２シート領域１４Ｂの総面積と同じであってもよいし、第２シート領域１４Ｂの総面積より大きくてもよい。
・吸収性物品は、テープ型のおむつであってもよいし、尿パッド等であってもよい。また、幼児用おむつであってもよいし、成人用おむつであってもよい。
【符号の説明】
【００４８】
１０…おむつ、１０Ｂ…臀部領域、１０Ｃ…股下部領域、１０Ｅ…端部領域、１０Ｆ…腹部領域、１０Ｊ…接合部、１０Ｌ…脚回り開口部、１０Ｒ…背部領域、１０Ｗ…ウェスト開口部、１１…トップシート、１２…バックシート、１３…吸収体、１４…不織布シート、１４Ａ…第１シート領域、１４Ｂ…第２シート領域、１５…拡散シート、１６…外装シート、１６Ｃ…切欠端部、１７Ａ，１７Ｂ…弾性部材、１８…サイドシート、１８Ａ…弾性部材、２１…直線部、２１Ａ…領域、２１Ｂ…湾曲線部、２１Ｃ…直線部、２１Ｄ…湾曲線部、２２Ａ…接着領域、２２Ｂ…非接着領域。
【図１】
0006569569.tif 000002
【図２】
0006569569.tif 000003
【図３】
0006569569.tif 000004
【図４】
0006569569.tif 000005
【図５】
0006569569.tif 000006
【図６】
0006569569.tif 000007
【図７】
0006569569.tif 000008
【図８】
0006569569.tif 000009